(57)【特許請求の範囲】
【請求項１】
複数のコンピュータ装置の表示画面に隣接して設けられた仮想画面上のウインドウを、１つの領域の共有画面に表示し、前記複数のコンピュータ装置のユーザが、前記共有画面上に表示されたウインドウを操作することができる画像表示装置において、
前記仮想画面上のウインドウの画像データであるウインドウ画像データ及び前記仮想画面の画面解像度信号を、前記複数のコンピュータ装置から受信する受信手段と、
前記受信したウインドウ画像データからウインドウを生成し、前記共有画面に重ねて配置する画像配置手段と、
前記受信手段が受信した前記画面解像度信号に基づいて、前記複数のコンピュータ装置の仮想画面の画面解像度が異なると判断した場合に、前記仮想画面の画面解像度を調停する画面解像度調停信号を前記複数のコンピュータ装置に送信する画面解像度調停手段と、
画面解像度調停手段が画面解像度調停信号を複数のコンピュータ装置に送信し、全てのコンピュータ装置の仮想画面の画面解像度を調停できなかった場合に、共有画面上で操作することができない領域が生じたコンピュータ装置のユーザの操作に応じて生成される操作可能領域移動信号を受信手段で受信し、この操作可能領域移動信号に基づいて、共有画面上の操作可能領域を移動させる操作可能領域移動手段を有することを特徴とする画像表示装置。
【請求項２】
画面解像度調停手段は、全てのコンピュータ装置の仮想画面の最大画面解像度に合わせて画面解像度を調停することを特徴とする請求項１に記載の画像表示装置。
【請求項３】
画面解像度調停手段は、最も多くのウインドウ画像データを受信手段に送信しているコンピュータ装置の仮想画面の画面解像度に合わせて画面解像度を調停することを特徴とする請求項１に記載の画像表示装置。
【請求項４】
画面解像度調停手段は、複数のコンピュータ装置と画像表示装置を接続する際に、仮想画面の画面解像度を調停することを特徴とする請求項１に記載の画像表示装置。
【請求項５】
表示画面に隣接して設けられた仮想画面上のウインドウの画像データであるウインドウ画像データ及び前記仮想画面の画面解像度信号を送信する複数のコンピュータ装置と、
前記コンピュータ装置から送信された前記ウインドウ画像データ及び前記仮想画面の画面解像度信号を受信し、前記ウインドウ画像データからウインドウを生成して、１つの領域の共有画面に重ねて配置して表示し、前記画面解像度信号に基づいて、前記複数のコンピュータ装置の仮想画面の画面解像度が異なると判断した場合に、前記仮想画面の画面解像度を調停する画面解像度調停信号を前記複数のコンピュータ装置に送信する画像表示装置と、
前記コンピュータ装置と前記画像表示装置とを通信させる通信手段とから構成され、
前記画面解像度調停信号を前記画像表示装置から受信した前記複数のコンピュータ装置は、前記画面解像度調停信号に基づき、前記仮想画面の画面解像度を変更し、
かつ、画像表示装置が画面解像度調停信号を複数のコンピュータ装置に送信し、複数のコンピュータ装置の仮想画面の画面解像度を調停できなかった場合に、共有画面上で操作することができない領域が生じたコンピュータ装置のユーザの操作に応じて生成される操作可能領域移動信号を、前記コンピュータ装置が画像表示装置に送信し、前記操作可能領域移動信号を受信した画像表示装置が、前記操作可能領域移動信号に基づいて、共有画面上の操作可能領域を移動させることを特徴とする画像表示システム。
【発明の詳細な説明】
【技術分野】
【０００１】
本発明は、複数のコンピュータ装置の仮想画面上のウインドウを、１つの領域の共有画面に表示することができる画像表示装置及び画像表示システムに関するものである。
【背景技術】
【０００２】
近年、会議の場において、会議の出席者が、それぞれのノート型パソコンに用意したデータを、プロジェクタ等の画像表示装置で表示して会議をするようになってきている。従来では、出席者が順次ノート型パソコンを、プロジェクタに接続して、データをプロジェクタで表示して発表していた。会議後に出席者のそれぞれ若しくは代表の一人が、会議で決定したことや、変更したことをデータに盛り込んで、更新作業をしていたため、大変手間であった。
【０００３】
もし、出席者がそれぞれ用意したデータを同時に、１つの領域の共有画面に表示して、共同で編集作業をすることができるとすると、情報の共有ができると同時に、その場でデータを共同で編集することができ大変便利である。
【０００４】
そこで、図８に示されるような画像表示システム３００が考えられる。この画像表示システム３００は、複数のコンピュータ装置ＰＣ１、ＰＣ２が、プロジェクタ２００に接続していて、プロジェクタ２００が、複数のコンピュータ装置ＰＣ１、ＰＣ２の仮想の画面である仮想画面上のウインドウＷ１―１、Ｗ１−２、Ｗ２−１、Ｗ２−２を重ね合わせて共有画面として表示するシステムである。例えば、ユーザ１が、ポインティングディバイスを操作することにより、コンピュータ装置ＰＣ１の表示画面に表示されているウインドウＷ１−２、Ｗ１−１を、右側に移動させて、仮想画面に移動させると、Ｗ１−２、Ｗ１−１が共有画面に表示されるようになる。
【０００５】
ところが、図９に示されるように、プロジェクタ３００に接続されたコンピュータ装置ＰＣ１、ＰＣ２の仮想画面の画面解像度が異なる場合には、仮想画面の画面解像度が低いコンピュータ装置ＰＣ１では、操作不能な領域が共有画面上に発生してしまう。図９において、ＰＣ１のユーザは、共有画面上のウインドウ（ＰＣ２の仮想画面上のウインドウ）を、操作することができない。なお、コンピュータ装置の仮想画面の画面解像度が異なってしまう要因は、前回プロジェクタ２００に接続した仮想画面の画面解像度の設定が、そのままコンピュータ装置ＰＣ１、ＰＣ２に保持されていて、プロジェクタ２００に接続するコンピュータ装置ＰＣ１、ＰＣ２の仮想画面の画面解像度が異なることが考えられる。また、共有画面に画像を大きく表示するために、あえて、コンピュータ装置ＰＣ１、ＰＣ２のいずれかの画面解像度を落として使用し、この仮想画面の画面解像度の設定がそのまま、コンピュータ装置ＰＣ１，ＰＣ２に保持されていたことが考えられる。
【０００６】
特許文献１〜特許文献３には、プロジェクタに入力された映像信号を拡大・縮小し、プロジェクタに合わせる技術が開示されている。また、特許文献４には、予め画面解像度等のプロジェクタ設定を保存した記憶装置からプロジェクタ設定を読み込み、プロジェクタの設定を行う技術が開示されている。しかしながら、特許文献１〜４には、上記問題を解決する方法は開示されていない。
【特許文献１】特開２００３−８４７３８号公報
【特許文献２】特開２００４−１１００４６号公報
【特許文献３】特開２００７−５８２３４号公報
【特許文献４】特開２００５―９９６２０号公報
【発明の開示】
【発明が解決しようとする課題】
【０００７】
本発明は上記のような問題点を解決し、コンピュータ装置の仮想画面上のウインドウを、画像表示装置の共有画面に表示する画像表示装置若しくは画像表示システムにおいて、各コンピュータ装置の仮想画面の画面解像度が異なる場合に、画像表示装置が自動的に各コンピュータ装置の仮想画面の画面解像度を調停することが可能な画像表示装置及び画像表示システムを提供する。
【課題を解決するための手段】
【０００８】
上記課題を解決するためになされた請求項１に記載の発明は、
複数のコンピュータ装置の表示画面に隣接して設けられた仮想画面上のウインドウを、１つの領域の共有画面に表示し、前記複数のコンピュータ装置のユーザが、前記共有画面上に表示されたウインドウを操作することができる画像表示装置において、
前記仮想画面上のウインドウの画像データであるウインドウ画像データ及び前記仮想画面の画面解像度信号を、前記複数のコンピュータ装置から受信する受信手段と、
前記受信したウインドウ画像データからウインドウを生成し、前記共有画面に重ねて配置する画像配置手段と、
前記受信手段が受信した前記画面解像度信号に基づいて、前記複数のコンピュータ装置の仮想画面の画面解像度が異なると判断した場合に、前記仮想画面の画面解像度を調停する画面解像度調停信号を前記複数のコンピュータ装置に送信する画面解像度調停手段と、
画面解像度調停手段が画面解像度調停信号を複数のコンピュータ装置に送信し、全てのコンピュータ装置の仮想画面の画面解像度を調停できなかった場合に、共有画面上で操作することができない領域が生じたコンピュータ装置のユーザの操作に応じて生成される操作可能領域移動信号を受信手段で受信し、この操作可能領域移動信号に基づいて、共有画面上の操作可能領域を移動させる操作可能領域移動手段を有することを特徴とする。
【０００９】
【００１０】
請求項２に記載の発明の画面解像度調停手段は、全てのコンピュータ装置の仮想画面の最大画面解像度に合わせて画面解像度を調停することを特徴とする。
【００１１】
請求項３に記載の発明の画面解像度調停手段は、最も多くのウインドウ画像データを受信手段に送信しているコンピュータ装置の仮想画面の画面解像度に合わせて画面解像度を調停することを特徴とする。
【００１２】
請求項４に記載の発明の画面解像度調停手段は、複数のコンピュータ装置と画像表示装置を接続する際に、仮想画面の画面解像度を調停することを特徴とする。
【００１３】
【００１４】
請求項５に記載の発明は、表示画面に隣接して設けられた仮想画面上のウインドウの画像データであるウインドウ画像データ及び前記仮想画面の画面解像度信号を送信する複数のコンピュータ装置と、
前記コンピュータ装置から送信された前記ウインドウ画像データ及び前記仮想画面の画面解像度信号を受信し、前記ウインドウ画像データからウインドウを生成して、１つの領域の共有画面に重ねて配置して表示し、前記画面解像度信号に基づいて、前記複数のコンピュータ装置の仮想画面の画面解像度が異なると判断した場合に、前記仮想画面の画面解像度を調停する画面解像度調停信号を前記複数のコンピュータ装置に送信する画像表示装置と、
前記コンピュータ装置と前記画像表示装置とを通信させる通信手段とから構成され、
前記画面解像度調停信号を前記画像表示装置から受信した前記複数のコンピュータ装置は、前記画面解像度調停信号に基づき、前記仮想画面の画面解像度を変更し、
かつ、画像表示装置が画面解像度調停信号を複数のコンピュータ装置に送信し、複数のコンピュータ装置の仮想画面の画面解像度を調停できなかった場合に、共有画面上で操作することができない領域が生じたコンピュータ装置のユーザの操作に応じて生成される操作可能領域移動信号を、前記コンピュータ装置が画像表示装置に送信し、前記操作可能領域移動信号を受信した画像表示装置が、前記操作可能領域移動信号に基づいて、共有画面上の操作可能領域を移動させることを特徴とする。
【００１５】
【発明の効果】
【００１６】
請求項１に記載の発明によれば、前記仮想画面上のウインドウの画像データであるウインドウ画像データ及び前記仮想画面の画面解像度信号を、前記複数のコンピュータ装置から受信する受信手段と、前記受信したウインドウ画像データからウインドウを生成し、前記共有画面に重ねて配置する画像配置手段と、前記受信手段が受信した前記画面解像度信号に基づいて、前記複数のコンピュータ装置の仮想画面の画面解像度が異なると判断した場合に、前記仮想画面の画面解像度を調停する画面解像度調停信号を前記複数のコンピュータ装置に送信する画面解像度調停手段を有するので、画像表示装置が自動的に各コンピュータ装置の仮想画面の画面解像度を調停することが可能となり、全てのユーザが共有画面上のウインドウを操作することが可能となった。
【００１７】
また請求項１に記載の発明によれば、画面解像度調停手段が画面解像度調停信号を複数のコンピュータ装置に送信し、全てのコンピュータ装置の仮想画面の画面解像度を調停できなかった場合に、共有画面上で操作することができない領域が生じたコンピュータ装置のユーザの操作に応じて生成される操作可能領域移動信号を受信手段で受信し、この操作可能領域移動信号に基づいて、共有画面上の操作可能領域を移動させる操作可能領域移動手段を設けたので、全てのユーザが、共有画面上のウインドウを操作することが可能となった。
【００１８】
請求項２に記載の画面解像度調停手段は、全てのコンピュータ装置の仮想画面の最大画面解像度に合わせて画面解像度を調停するので、画像表示装置が自動的に各コンピュータ装置の仮想画面の画面解像度を調停することが可能となった。
【００１９】
請求項３に記載の画面解像度調停手段は、最も多くのウインドウ画像データを受信手段に送信しているコンピュータ装置の仮想画面の画面解像度に合わせて画面解像度を調停するので、画像表示装置が自動的に各コンピュータ装置の仮想画面の画面解像度を調停することが可能となった。
【００２０】
請求項４に記載の画面解像度調停手段は、複数のコンピュータ装置と画像表示装置を接続する際に、仮想画面の画面解像度を調停するので、ユーザが共有画面上のウインドウを操作する際には、各コンピュータ装置の仮想画面の画面解像度が調停されていて、全てのユーザが共有画面上のウインドウを操作することが可能となった。
【００２１】
【００２２】
請求項５に記載の発明によれば、表示画面に隣接して設けられた仮想画面上のウインドウの画像データであるウインドウ画像データ及び前記仮想画面の画面解像度信号を送信する複数のコンピュータ装置と、前記コンピュータ装置から送信された前記ウインドウ画像データ及び前記仮想画面の画面解像度信号を受信し、前記ウインドウ画像データからウインドウを生成して、１つの領域の共有画面に重ねて配置して表示し、前記画面解像度信号に基づいて、前記複数のコンピュータ装置の仮想画面の画面解像度が異なると判断した場合に、前記仮想画面の画面解像度を調停する画面解像度調停信号を前記複数のコンピュータ装置に送信する画像表示装置と、前記コンピュータ装置と前記画像表示装置とを通信させる通信手段とから構成され、前記画面解像度調停信号を前記画像表示装置から受信した前記複数のコンピュータ装置は、前記画面解像度調停信号に基づき、前記仮想画面の画面解像度を変更することとしたので、画像表示装置が自動的に各コンピュータ装置の仮想画面の画面解像度を調停することが可能となり、全てのユーザが共有画面上のウインドウを操作することが可能となった。
【００２３】
また請求項５に記載の発明によれば、画像表示装置が画面解像度調停信号を複数のコンピュータ装置に送信し、複数のコンピュータ装置の仮想画面の画面解像度を調停できなかった場合に、共有画面上で操作することができない領域が生じたコンピュータ装置のユーザの操作に応じて生成される操作可能領域移動信号を、前記コンピュータ装置が画像表示装置に送信し、前記操作可能領域移動信号を受信した画像表示装置が、前記操作可能領域移動信号に基づいて、共有画面上の操作可能領域を移動させることとしたので、全てのユーザが、共有画面上のウインドウを操作することが可能となった。
【発明を実施するための最良の形態】
【００２４】
（画像表示システムの概要）
以下に、図面を参照しつつ本発明の好ましい実施の形態を示す。
図１は本発明の画像表示装置を用いた画像表示システムの構成図である。図１に示されるように、本発明の画像表示システム１００は、コンピュータ装置５０ａ、５０ｂ（図上ではそれぞれ、ＰＣ１、ＰＣ２と表記している）の仮想の画面である仮想画面５５ａ、５５ｂ上に表示されている「ウインドウ」を、一つの領域に重ね合わせて、共有画面８０として表示し、コンピュータ装置５０ａ、５０ｂのユーザが、共有画面８０上に表示された「ウインドウ」を操作することができるシステムである。図１において、表示画面５４ａ、５４ｂは、それぞれコンピュータ装置５０ａ、５０ｂの画像表示装置５１ａ、５１ｂが表示している画面である。また、仮想画面５５ａ、５５ｂは、それぞれコンピュータ装置５０ａ、５０ｂの仮想の画面であり、図１において、仮想画面５５ａ、５５ｂは、表示画面５４ａ、５４ｂに隣接して、仮想的に設けられている。この仮想画面５５ａ、５５ｂは、表示画面５４ａ、５４ｂに、少なくとも一部が連続して仮想的に設けられていて、後述するように、カーソルＰ１、Ｐ２や「ウインドウ」が、表示画面５４ａ、５４ｂと仮想画面５５ａ、５５ｂとの間を移動することができるようになっている。なお、本実施形態では、仮想画面５５ａ、５５ｂは、表示画面５４ａ、５４ｂの右隣に設けられている。なお、「ウインドウ」には、各コンピュータ装置５０ａ、５０ｂの表示画面５４ａ、５４ｂに表示される、各種アプリケーソンソフトの「ウインドウ」の他、「フォルダ」を開けた「ウインドウ」等も含まれる。
【００２５】
画像表示システム１００は、複数のコンピュータ装置５０ａ、５０ｂと、画像表示装置１と、複数のコンピュータ装置５０ａ、５０ｂと画像表示装置１とを接続してデータを通信する通信手段６０とから構成されている。なお、本実施形態では、画像表示装置１は、プロジェクタであり、スクリーン７５等に共有画面８０を投影して表示するようになっている。
【００２６】
なお、画像表示装置１にデータを送信するコンピュータ装置５０ａ、５０ｂは、図１に示されるように２台に限定されず、３台以上であっても差し支えない。以下、２台のコンピュータ装置５０ａ、５０ｂが、画像表示装置１に画像データを送信する実施形態について説明をする。
【００２７】
コンピュータ装置５０ａ、５０ｂは、「ウインドウ」を表示画面５４ａ、５４ｂに表示するものであればすべて含まれ、例えば、ウインドウズ（登録商標）、マッキントッシュ（登録商標）、リナックス（登録商標）、ＭＳ−ＤＯＳ（登録商標）等のＯＳ（オペレーティングシステム）を用いた、いわゆるパーソナルコンピュータや、ＰＤＡ（Ｐｅｒｓｏｎａｌ  Ｄｉｇｉｔａｌ  Ａｓｓｉｓｔａｎｔの略、携帯情報端末）、ワークステーション、大型汎用コンピュータ等も含めることができる。
【００２８】
コンピュータ装置５０ａ、５０ｂは、仮想画面５５ａ、５５ｂ上の「ウインドウ」の画像データである「ウインドウ画像データ」及び「ウインドウ」の位置や大きさのデータである「ウインドウ座標データ」を、外部に出力する機能を備えていて、本発明では、コンピュータ装置５０ａ、５０ｂは、「ウインドウ画像データ」及び「ウインドウ座標データ」を、通信手段６０を介して、画像表示装置１に送信するようになっている。なお、「ウインドウ座標データ」には、仮想画面５５ａ、５５ｂ上の「ウインドウ」の座標情報や、前記「ウインドウ」の幅や高さの情報が含まれ、本実施形態では「ウインドウ」の座標情報は、「ウインドウ」の左上の位置を基準としている。また、コンピュータ装置５０ａ、５０ｂは、仮想画面５５ａ、５５ｂの画面解像度を表す信号である「画面解像度信号」を、外部に出力する機能を備えていて、通信手段６０を介して、画像表示装置１に送信するようになっている。
【００２９】
画像表示装置１は、通信手段６０を介して接続されているコンピュータ装置５０ａ、５０ｂから、「ウインドウ画像データ」及び「ウインドウ座標データ」、「画面解像度信号」を受信する機能を備えている。画像表示装置１は、前記受信した「ウインドウ画像データ」及び「ウインドウ座標データ」に基づいて、「ウインドウ」を生成し、一の領域に重ね合わせて配置して共有画面８０として表示する機能を備えている。
【００３０】
コンピュータ装置５０ａ、５０ｂには、ポインティングディバイスの一形態であるトラックパッド等が内蔵されていたり、マウス等が接続されていたりしている。ユーザがポインティングディバイスを操作すると、コンピュータ装置５０ａ、５０ｂは、操作により得られた「ポインティングディバイス信号」から、ポインターＰ１、Ｐ２を生成し、表示画面５４ａ、５４ｂに表示する処理を行う。なお、「ポインティングディバイス信号」には、カーソル位置情報データ」や「ポインティングディバイス押下信号」等が含まれる。「カーソル位置情報データ」は、例えば（Ｘｐ、Ｙｐ）のようなＸ座標、Ｙ座標で表されるパラメータのデータであり、これらのＸ座標、Ｙ座標のデータからカーソルＰ１、Ｐ２の位置を２次元で表現するようになっている。ユーザがポインティングディバイスを上下左右に動かすと、「カーソル位置情報データ」のＸ座標、Ｙ座標のパラメータが増減・加減されるようになっている。「ポインティングディバイス押下信号」は、ユーザがポインティングディバイスのボタンを押下した場合に出力される信号であり、当該ボタンを素早く離した場合のいわゆる「クリック」や、当該ボタンを押してから離すまでの間にポインティングディバイスを移動するいわゆる「ドラッグ」の信号を含む。なお、ポインティングディバイスは、トラックパッドやマウスに限定されず、トラックボール、ポインティングスティック、ペンタブレット等のポインティングディバイスであっても差し支えない。また、コンピュータ装置５０ａ、５０ｂのキーボード５２ａ、５２ｂでカーソルＰ１、Ｐ２を操作する場合には、キーボード５２ａ、５２ｂもポインティングディバイスに含まれる。
【００３１】
コンピュータ装置５０ａ、５０ｂは、仮想画面５５ａ、５５ｂ上の「カーソル位置情報データ」及び「ポインティングディバイス押下信号」を、通信手段６０を介して画像表示装置１に送信する機能を備えている。また、コンピュータ装置５０ａ、５０ｂは、キーボード５２ａ、５２ｂの操作信号である「キーボード信号」を、通信手段６０を介して画像表示装置１に送信する機能を備えている。
【００３２】
画像表示装置１は、通信手段６０を介して接続されているコンピュータ装置５０ａ、５０ｂから「ポインティングディバイス信号」や「キーボード信号」を受信する機能を備えている。また、画像表示装置１は、受信した「カーソル位置情報データ」に基づいて、カーソルＰ１、Ｐ２を、共有画面８０に表示させる機能を備えている。
【００３３】
本発明では、ユーザ１、２がポインティングディバイスを操作することにより、カーソルＰ１、Ｐ２を、表示画面５４ａ、５４ｂから仮想画面５５ａ、５５ｂに移動させると、カーソルＰ１、Ｐ２が、表示画面５４ａ、５４ｂから消滅すると同時に、共有画面８０上に表示されるようになっている。例えば、図１において、ユーザ１が、ポインティングディバイスを操作することにより、表示画面５４ａ上に表示されているカーソルＰ１を右側に移動させて、カーソルＰ１が表示画面５４ａと仮想画面５５ａの境界を超えると、表示画面５４ａの右端からカーソルＰ１が消滅すると同時に、共有画面８０の左端からカーソルＰ１が現れるようになっている。
【００３４】
ユーザ１、２は、ポインティングディバイスを操作することにより共有画面８０上の「ウインドウ」を、移動・クリック・ドラッグ等の操作をすることができる。例えば、コンピュータ装置５０ａのユーザ１が、表示画面５４ａに表示されているウインドウＷ１−１をドラッグすることにより右側に移動させて、ウインドウＷ１−１が表示画面５４ａと仮想画面５５ａの境界を超えると、前記境界を越えた部分のウインドウＷ１−１は、共有画面８０の左側から現れて表示されるようになる。
【００３５】
画像表示装置１は、共有画面８０上でカーソルＰ１、Ｐ２が指し示している「ウインドウ」の「ウインドウ画像データ」を送信しているコンピュータ装置５０ａ、５０ｂのいずれかを識別して、その識別したコンピュータ装置５０ａ、５０ｂに対して「ポインティングディバイス信号」や「キーボード信号」を送信する機能を備えている。
【００３６】
コンピュータ装置５０ａ、５０ｂは、画像表示装置１から他のコンピュータ装置５０ａ、５０ｂの「ポインティングディバイス信号」や「キーボード信号」を受信して、コンピュータ装置５０ａ、５０ｂのオペレーティングシステムやアプリケーションソフトに引き渡す機能を備えている。
【００３７】
これにより、例えば、カーソルＰ１が指し示しているウインドウＷ２−１の「ウインドウ画像データ」を出力しているコンピュータ装置５０ｂに対して、画像表示装置１が「ポインティングディバイス信号」や「キーボード信号」を送信して、ユーザ１が、コンピュータ装置５０ｂの仮想画面５５ｂ上のウインドウＷ２−１の操作を行うことが可能となる。
【００３８】
その結果、画像表示装置１により表示された共有画面８０を見ながら、コンピュータ装置５０ａを操作しているユーザ１が、ユーザ２に対して口頭で編集の指示を行うことなく、ウインドウ２−１を直接編集することが可能となる。
【００３９】
ユーザ１が、コンピュータ装置５０ａのポインティングディバイスを操作して、共有画面８０上に表示されているウインドウＷ２−１を操作した場合には、画像表示装置１は、コンピュータ装置５０ａから出力された「ポインティングディバイス信号」や「キーボード信号」をコンピュータ装置５０ｂに出力し、コンピュータ装置５０ｂは、この「ポインティングディバイス信号」や「キーボード信号」を、Ｗ２−１ウインドウを表示している「オペレーティングシステム」や「アプリケーションソフト」に引き渡して、これら「オペレーティングシステム」や「アプリケーションソフト」が処理を行う。例えば、ウインドウＷ２−１が、ワードプロセッサの「ウインドウ」である場合には、ユーザ１が、コンピュータ装置５０ａのポインティングディバイスを操作して、カーソルＰ１をウインドウＷ２−１の所望の位置に移動させるとともに、コンピュータ装置５０ａのキーボード５２ａを操作することにより、ウインドウＷ２−１に文字を入力することができるようになっている。このように、コンピュータ装置５０ｂは、コンピュータ装置５０ａから出力された「ポインティングディバイス信号」や「キーボード信号」を、画像装置１を介して取得し、ワードプロセッサソフトに引き渡す。このワードプロセッサソフトは、前記「ポインティングディバイス信号」や「キーボード信号」に基づいて、文字の入力等の各種処理を行う。「アプリケーションソフト」にはワードプロセッサソフト以外にも、表計算ソフト、メールソフト、プレゼーテンションソフト等のビジネスソフトの他、画像処理ソフト等が含まれ、ユーザ１、２が、共有画面８０に表示された各種ソフトの「ウインドウ」を操作することにより、共同作業ができるようになっている。
【００４０】
次に通信手段６０について説明をする。通信手段６０は、例えば図１に示されるように、複数の通信線が接続されるハブ６１と、ハブ６１と複数のコンピュータ装置５０ａ、５０ｂを接続する通信線６２と、ハブ６１と画像表示装置１を接続する通信線６３とから構成されている。通信線６３は、図２に示される画像表示装置１のネットワーク接続部１０に接続している。通信線６２は、図４に示されるコンピュータ装置５０ａ、５０ｂのネットワーク接続部１１３に接続している。
【００４１】
なお、画像表示装置１のネットワーク接続部１０及びコンピュータ装置５０ａ、５０ｂのネットワーク接続部１１３のインターフェースとして、ＬＡＮ（Ｌｏｃａｌ  Ａｒｅａ  Ｎｅｔｗｏｒｋ）や、ＵＳＢ（Ｕｎｖｅｒｓａｌ  Ｓｅｒｉａｌ  Ｂｕｓの略、ＵＳＢ１．０、ＵＳＢ１．１、ＵＳＢ２．０を含む）、ＩＥＥＥ１３９４、ＲＳ２３２、ＲＳ４２２その他通信インターフェースを含めることができ、通信線６２と通信線６３は、これらのインターフェースに対応した通信線となっている。
【００４２】
あるいは通信手段６０として、無線を用いたものであってもよく、この場合のインターフェースとしては、ＩＥＥＥ８０２に規定されているいわゆる無線ＬＡＮやＢｌｕｅｔｏｏｔｈ、その他の無線インターフェースを含めることができる。この場合には、コンピュータ装置５０ａ、５０ｂのネットワーク接続部１１３及び、画像表示装置１のネットワーク接続部１０は、前記無線のインターフェースを用いたものとなっている。
【００４３】
また、図１に示される通信手段６０には、図３に示されるように、いわゆるイントラネット６５やインターネット６６を含めることもでき、イントラネット６５やインターネット６６等のネットワークに接続されているコンピュータ装置５０ａ、５０ｂが、「ウインドウ画像データ」や「ウインドウ座標データ」、「ポインティングディバイス信号」、「キーボード信号」を画像表示装置１に送信する実施形態であっても差し支えない。なお、図３において、６５はイントラネット、６６はインターネット、６７はハブ、６８はスイッチ、６９はルータ、７０はサーバー、７１はファイヤーウォール、７２は無線ＬＡＮのアクセスポイントを示す。
【００４４】
（画像表示装置の構成説明）
以下に、画像表示装置１の構成の説明をする。画像表示装置１は主に、ネットワーク接続部１０、ＣＰＵ１２、ＲＡＭ１３、ＲＯＭ１４、保存部１５、制御パネル３６、赤外線制御部３７、ランプ駆動回路２１、画像処理回路２８、ピント調節機構２６等から構成されていて、これらは相互にバス４５で接続されている。
【００４５】
ネットワーク接続部１０は、通信手段６０の通信線６３と接続している。ネットワーク接続部１０は、コンピュータ装置５０ａ、５０ｂから送信される、「ウインドウ画像データ」や「ウインドウ座標データ」、「ポインティングディバイス信号」、「キーボード信号」、コンピュータ装置５０の仮想画面５５の「画面解像度信号」を受信する受信手段１０ａとしての役割をしている。また、ネットワーク接続部１０は、各種データを外部に送信する送信手段１０ｂとしての役割もしていて、コンピュータ装置５０ａ、５０ｂに「ポインティングディバイス信号」や「キーボード信号」、後述する「画面解像度調停信号」、「操作可能領域移動信号」等のデータを送信するようになっている。
【００４６】
ＣＰＵ（Ｃｅｎｔｒａｌ  Ｐｒｏｃｅｓｓｉｎｇ  Ｕｎｉｔの略）１２は、ＲＡＭ（Ｒａｎｄｏｍ  Ａｃｃｅｓｓ  Ｍｅｍｏｒｙの略）１３、ＲＯＭ（Ｒｅａｄ  Ｏｎｌｙ  Ｍｅｍｏｒｙの略）１４と協動して、各種演算、処理を行うものである。
【００４７】
ＲＡＭ１３は、ＣＰＵ１２が処理するデータを一時的に保存するものである。また、ＲＡＭ１３は、表示画面８０に表示する「共有画面画像データ」を一次的に保存するＶＲＡＭ（Ｖｉｄｅｏ  ＲＡＭ）としての役割をしている。なお、表示画面８０に表示する「共有画面画像データ」を、一次的に保存するＶＲＡＭを、ＲＡＭ１３とは別に設けて、バス４５に接続することとしても差し支えない。
【００４８】
ＲＯＭ１４には、画像表示装置１を制御する各種プログラムやパラメータが保存されている。アプリケーション保存部１４ａには、本発明の画像表示装置１を制御するためのアプリケーションソフトが保存されている。このアプリケーションソフトが、ＣＰＵ１２で処理されることにより、各種機能を実現している。ＲＯＭ１４のアプリケーション保存部１４ａには、画像配置手段１４ｂや画面解像度調停手段１４ｃ、操作可能領域移動手段１４ｄが保存されている。
【００４９】
画像配置手段１４ｂは、受信手段１０ａが受信した、「ウインドウ画像データ」及び「ウインドウ座標データ」から、「ウインドウ」を生成し、１つの領域に重ねて配置して、共有画面８０に表示する「共有画面画像データ」を生成して、ＶＲＡＭであるＲＡＭ１３に出力するものである。
【００５０】
画面解像度調停手段１４ｃは、受信手段１０ａが受信した「画面解像度信号」に基づいて、コンピュータ装置５０ａ、５０ｂの仮想画面５５ａ、５５ｂの画面解像度が異なると判断した場合に、仮想画面５５ａ、５５ｂの画面解像度を調停する「画面解像度調停信号」を生成し、送信手段１０ｂを介してコンピュータ装置５０ａ、５０ｂに送信するものである。本発明において、仮想画面５５ａ、５５ｂの「画面解像度を調停する」とは、異なる仮装画面５５ａ、５５ｂの画面解像度を、同一の画面解像度に統一するという意味で用いられている。
【００５１】
操作可能領域移動手段１４ｄは、画面解像度調停手段１４ｃが「画面解像度調停信号」をコンピュータ装置５０に送信し、コンピュータ装置５０の仮想画面５５の画面解像度を調停できなかった場合に、共有画面８０上で操作することができない領域が生じたコンピュータ装置５０のユーザの操作に応じて生成される「操作可能領域移動信号」に基づいて、共有画面８０上の「操作可能領域」を移動させるものである。
【００５２】
保存部１５は、不揮発性メモリやハードディスク等により構成され、画像表示装置１の各種設定等が保存されるようになっている。なお、受信手段１０ａが受信した「ウインドウ画像データ」や「ウインドウ座標データ」を、ページングして保存部１５に保存することとしても差し支えない。
【００５３】
画像表示装置１は、ランプ駆動回路２１から供給される電力により発光するランプ等の光源２２と、この光源２２が発光した拡散光を集光し、より均一な照明光をＬＣＤ２４（Ｌｉｑｕｉｄ  Ｃｒｙｓｔａｌ  Ｄｉｓｐｌａｙの略、液晶表示素子）に照射する照明光学系２３と、照明光を入力して各画素に階調を表現して画像を生成するＬＣＤ２４と、このＬＣＤ２４が生成した画像をスクリーン７５等に投影する結像光学系２５とを備えている。なお、ＬＣＤ２４の代わりに、ＤＭＤ（Ｄｉｇｉｔａｌ  Ｍｉｃｒｏｍｉｒｒｏｒ  Ｄｅｖｉｃｅ）を用いても差し支えない。結像光学系２５は多数のレンズから構成されていて、ピント調整機構２６により自動的に焦点が合わされ、ＬＣＤ２４を透過した照明光が、スクリーン７５等に結像するようになっている。
【００５４】
画像表示装置１には、コンピュータ装置５０ａ、５０ｂから「画像信号」を取得する、ＶＧＡ端子（Ｖｉｄｅｏ  Ｇｒａｐｈｉｃｓ  Ａｒｒａｙの略）、ＤＶＩ−Ｄ端子等の画像信号入力部４１や、画像信号切替回路４２、画像信号入力回路４３が設けられているが、本発明では、コンピュータ装置５０ａ、５０ｂから送信される「ウインドウ画像データ」を、ネットワーク接続部１０の受信手段１０ａで受信するので、画像信号接続部４１や、画像信号切替回路４２、画像信号入力回路４３は、本発明の画像表示装置１には必ずしも必須ではない。
【００５５】
画像処理回路２８は、画像配置手段１４ｂが生成し、ＶＲＡＭであるＲＡＭ１３に保存されている「共有画面画像データ」を、バス４５を経由して取得し、必要に応じてシャープネス補正、ガンマ補正、コントラスト補正、ホワイトバランス補正、台形補正等の画像処理を行い、ＬＣＤ駆動回路３０に出力するものである。ＬＣＤ駆動回路３０は、画像処理回路２８が出力した「共有画面画像データ」に基づいて、ＬＣＤ２４の信号電極に印加する信号電極駆動信号、及び走査電極に印加する走査電極駆動信号を出力する。ＬＣＤ２４は、ＬＣＤ駆動回路３０から取得した信号電極駆動信号及び走査電極駆動信号に基づいて画像を生成する。
【００５６】
制御パネル３６は、画像処理装置１の各種設定を変更し、画像表示装置１を操作するためのものであり、ユーザの操作により生成される設定変更信号や操作信号を、バス４５を介して、各種プログラムに引き渡すものである。赤外線制御部３７は、ユーザがリモコン（図示せず）を用いることにより行った各種設定の変更信号や操作信号を、赤外線受光部３８を介して取得し、前記変更信号や操作信号を、バス４５を介して、各種プログラムに引き渡すものである。
【００５７】
（コンピュータ装置の構成の説明）
図４に、コンピュータ装置５０のブロック図を示して、コンピュータ装置５０の説明をする。コンピュータ装置５０は、主に、ＣＰＵ１０１、メモリ１０２、バスコントローラ１０３、ビデオサブシステム１０４、画像表示装置１０５、ＵＳＢバスコントローラ１０６、ＵＳＢコネクタ１０７、ハードディスク１０８、フロッピー（登録商標）ディスクドライブ１０９、ＣＤＲＯＭドライブ１１０、キーボード１１１、ポインティングディバイス１１２、ネットワーク接続部１１３とから構成されている。
【００５８】
ＣＰＵ１０１、メモリ１０２、ビデオサブシステム１０４は、相互に、高速バス１２１で接続されている。ＣＰＵ１０１は、メモリ１０２と協働して各種演算、処理を行うものである。メモリ１０２は、ＲＯＭやＲＡＭとから構成されている。ＲＯＭにはＢＩＯＳ（Ｂａｓｉｃ  Ｉｎｐｕｔ／Ｏｕｔｐｕｔ  Ｓｙｓｔｅｍ）が保存されている。ＲＡＭは、ハードディスク１０８からロードされた各種プログラムやデータを一時的に保存し、ＣＰＵ１０１の処理結果を一時的に保存するものである。
【００５９】
ビデオサブシステム１０４は、表示画面５４ａ、５４ｂに表示される画像データである「表示画像データ」を生成して画像表示装置１０５に出力するものである。ビデオサブシステム１０４は、グラフィックスコントローラやＶＲＡＭを備えている。グラフィックスコントローラは、ＣＰＵ１０１の命令により、画素の集合のデータである「表示画像データ」を生成し、ＶＲＡＭに出力するものである。ＶＲＡＭは、グラフィックスコントローラが生成した「表示画像データ」を一時的に保存するものである。ＶＲＡＭに保存された「表示画像データ」は、画像表示装置１０５に出力されるようになっている。
【００６０】
また、ビデオサブシステム１０４は、仮想画面５５ａ、５５ｂ上の「ウインドウ」の画像データである「ウインドウ画像データ」を生成し、通信手段６０を介して、画像表示装置１に出力する機能を備えている。グラフィックスコントローラは、ＣＰＵ１０１の命令により、画素の集合のデータである「ウインドウ画像データ」を生成し、ＶＲＡＭに出力する。ＶＲＡＭは、グラフィックスコントローラが生成した「ウインドウ画像データ」を一時的に保存する。ＶＲＡＭに保存された「ウインドウ画像データ」は、ネットワーク接続部１１３から、通信手段６０を介して画像表示装置１に送信されるようになっている。
【００６１】
なお、ＶＲＡＭの代わりに、メモリ１０２に「表示画面データ」や「ウインドウ画像データ」を一時的に保存することとしても差し支えない。
【００６２】
画像表示装置１０５は、ＬＣＤやＣＲＴ（Ｃａｔｈｏｄｅ  Ｒａｙ  Ｔｕｂｅ））等で構成されている。画像表示装置１０５は、ビデオサブシステム１０４と接続していて、ビデオサブシステム１０４が生成した、「表示画像データ」が表示されるようになっている。本発明では画像表示装置１０５（５１ａ、５１ｂ）には表示画面５４ａ、５４ｂのみが表示され、仮想画面５５ａ、５５ｂが表示されることはない。
【００６３】
バスコントローラ１０３は、高速バス１２１と低速バス１２２とを接続していて、高速バス１２１と低速バス１２２間に流れるデータの制御を行うものである。
【００６４】
ＵＳＢバスコントローラ１０６、ハードディスク１０８、フロッピー（登録商標）ディスクドライブ１０９、ＣＤＲＯＭドライブ１１０、キーボード１１１、ポインティングディバイス１１２、ネットワーク接続部１１３は、相互に、低速バス１２２で接続されている。
【００６５】
ＵＳＢコネクタ１０７は、ＵＳＢ端子が接続するようになっている。ＵＳＢバスコントローラ１０６は、ＵＳＢコネクタ１０７に入力されるデータを制御し、低速バス１２２に出力するものである。
【００６６】
ハードディスク１０８には、コンピュータ装置５０のオペレーティングシステム１０８ａや、アプリケーションソフト１０８ｂが保存され、各種データ１０８ｃを保存するものである。なお、アプリケーションソフト１０８ｂには、画像表示装置１とコンピュータ装置５０ａ、５０ｂとを接続するためのドライバソフトや、仮想画面５５ａ、５５ｂを生成するプログラムや、画像表示装置１の画面解像度調停手段１０ｃが送信した「画面解像度調整信号」に基づいて、仮想画面５５ａ、５５ｂの画面解像度を変更するプログラム、後述する「操作可能領域移動信号」を生成して送信手段１０ｂから、通信手段６０を介して画像表示装置１に送信するプログラムが含まれる。
【００６７】
フロッピー（登録商標）ディスクドライブ１０９は、フロッピー（登録商標）ディスクに記憶されたデータを読み取り、フロッピー（登録商標）ディスクにデータを書き込む装置である。ＣＤＲＯＭドライブ１１０は、ＣＤＲＯＭに記憶されたデータを読み取る装置である。これらフロッピー（登録商標）ディスクドライブ１０９やＣＤＲＯＭドライブ１１０で、フロッピー（登録商標）ディスク若しくはＣＤＲＯＭに保存された、画像表示装置１とコンピュータ装置５０とを接続するためのドライバソフトや、本発明を実現するためのアプリケーションソフトを読み取って、ハードディスク１０８にインストールするようにしている。なお、ネットワーク接続部１１３で、前記ドライバソフトやアプリケーションソフトを受信して、ハードディスク１０８にインストールすることとしても差し支えない。
【００６８】
キーボード１１１（５２ａ、５２ｂ）は、文字を入力したり、コマンドを入力したりする装置である。キーボード１１１の入力信号は、低速バス１２２を介して、オペレーティングシステムやアプリケーションソフトに引き渡されるようになっている。ポインティングディバイス１１２は、表示画面５４ａ，５４ｂや仮想画面５５ａ、５５ｂ上のカーソルＰ１、Ｐ２の、「カーソル位置情報信号」や「ポインティングディバイス押下信号」からなる「ポインティングディバイス信号」を生成する装置である。「ポインティングディバイス信号」は、低速バス１２２を介して、オペレーティングシステムやアプリケーションソフトに引き渡されるようになっている。
【００６９】
ネットワーク接続部１１３は、通信手段６０と接続して、画像表示装置１と通信するものである。ネットワーク接続部１１３は、通信手段６０を介して「ウインドウ画像データ」や、「ウインドウ座標データ」、「ポインティングディバイス信号」、「キーボード信号」、「画面解像度信号」を、画像表示装置１に送信するようになっている。また、ネットワーク接続部１１３は、通信手段６０を介して、他のコンピュータ装置５０が画像表示装置１に送信した「ポインティングディバイス信号」や「キーボード信号」を、画像表示装置１から受信するようになっている。また、ネットワーク接続部１１３は、通信手段６０を介して、画像表示装置１から、「画面解像度調停信号」「仮想画面移動信号」を受信するようになっている。
【００７０】
（第１の実施形態）
図５に第１の実施形態のフロー図を示して、以下、第１の実施形態について説明をする。画像表示装置１に、通信手段６０を介してコンピュータ装置５０ａ、５０ｂが接続されると、コンピュータ装置５０ａ、５０ｂは、仮想画面５５ａ、５５ｂの画面解像度の情報の信号である「画面解像度信号」を画像表示装置１に送信して、第１の実施形態が開始し、画像表示装置１は、Ｓ１０「画面解像度信号を受信」の処理に進む。
【００７１】
表１に、画面解像度と画素数の関係を示す。
【表１】
0005082722.tif 000002
【００７２】
Ｓ１０「画面解像度信号を受信」の処理において、受信手段１０ａは、コンピュータ装置５０ａ、５０ｂが送信した「画面解像度信号」を受信する。「画面解像度信号」は、ＲＡＭ１３に保存される。Ｓ１０の処理が終了すると、Ｓ１１「画面解像度調停方法の選択」の選択に進む。
【００７３】
Ｓ１１「画面解像度調停方法の選択」の選択において、コンピュータ装置５０ａ、５０ｂのいずれかのユーザが、ポインティングディバイス１１２やキーボード１１１を操作して、仮想画面５５の画面解像度の調停方法Ｓ１２〜Ｓ１４のいずれかを選択を選択すると、Ｓ１２〜Ｓ１４の処理に進む。この際、コンピュータ装置５０から画像表示装置１に通信手段６０を介して、前記ユーザの操作情報が送信される。なお、前記ユーザが画像表示装置１の制御パネル３６やリモートコントローラを操作することにより、前記画面解像度の調停方法Ｓ１２〜Ｓ１４を選択するように構成しても差し支えない。
【００７４】
Ｓ１２「最も多くウインドウ画像データを送信しているコンピュータ装置の仮想画面の画面解像度に合わせて調停」の処理において、画面解像度調停手段１４ｃは、Ｓ１０の処理でＲＡＭ１３に保存された「画面解像度信号」を読み出して、最も多くの「ウインドウ画像データ」を受信手段１０ａに送信しているコンピュータ装置５０ａ、５０ｂの仮想画面５５ａ、５５ｂの画面解像度に合わせて、仮想画面５５ａ、５５ｂの画面解像度を調停する。つまり、最も多くの「ウインドウ」を共有画面８０に表示しているコンピュータ装置５０ａ、５０ｂの仮想画面５５ａ、５５ｂの画面解像度に合わせて画面解像度を調停する。Ｓ１２の処理が終了すると、Ｓ１５「全コンピュータ装置に画面解像度調停信号を送信」の処理に進む。
【００７５】
Ｓ１３「全コンピュータ装置の仮想画面の最小画面解像度に合わせて調停」の処理において、画面解像度調停手段１４ｃは、Ｓ１０の処理でＲＡＭ１３に保存された「画面解像度信号」を読み出して、全てのコンピュータ装置５０ａ、５０ｂの仮想画面５５ａ、５５ｂの最小画面解像度に合わせて、仮想画面５５ａ、５５ｂの画面解像度を調停する。Ｓ１３の処理が終了すると、Ｓ１５の処理に進む。
【００７６】
Ｓ１４「全コンピュータ装置の仮想画面の最大画面解像度に合わせて調停」の処理において、画面解像度調停手段１４ｃは、Ｓ１０の処理でＲＡＭ１３に保存された「画面解像度信号」を読み出して、全てのコンピュータ装置５０ａ、５０ｂの仮想画面５５の最大画面解像度に合わせて、仮想画面５５ａ、５５ｂの画面解像度を調停する。Ｓ１４の処理が終了すると、Ｓ１５の処理に進む。
【００７７】
Ｓ１５「全コンピュータ装置に画面解像度調停信号を送信」の処理において、画面解像度調停手段１４ｃは、Ｓ１２〜Ｓ１４の処理で調停した仮想画面５５ａ、５５ｂの画面解像度に基づき「画面解像度調停信号」を生成して、全コンピュータ装置５０ａ、５０ｂに送信する。「画面解像度調停信号」を受信したコンピュータ装置５０ａ、５０ｂは、受信した「画面解像度調停信号」に基づいて、仮想画面５５ａ、５５ｂの画面解像度を変更する。Ｓ１５の処理が終了すると、Ｓ１６「コンピュータ装置からデータを受信」の処理に進む。
【００７８】
Ｓ１６「コンピュータ装置からデータを受信」の処理において、画像表示装置１の受信手段１０ａは、コンピュータ装置５０ａ、５０ｂが送信した「ウインドウ画像データ」及び「ウインドウ座標データ」を受信する。これら「ウインドウ画像データ」及び「ウインドウ座標データ」はＲＡＭ１３に保存される。Ｓ１６の処理が終了すると、Ｓ１７「全ウインドウを共有画面に表示」の処理に進む。
【００７９】
Ｓ１７「全ウインドウを共有画面に表示」の処理において、画像配置手段１４ｂは、ＲＡＭ１３に保存されている「ウインドウ画像データ」や「ウインドウ座標データ」から「ウインドウ」を生成し、１つの領域に重ねて配置し、共有画面８０に表示する「表示画像データ」を生成する。Ｓ１５の処理でコンピュータ装置５０ａ、５０ｂの仮想画面５５ａ、５５ｂの画面解像度を調停して同一の画面解像度にした場合において、仮想画面５５ａ、５５ｂと共有画面８０の画面解像度が異なる場合には、画像配置手段１４ｂは、「表示画像データ」の画素を補完することにより増大・減少させて、共有画面８０の画面解像度に合わせる画像処理を行う。画素を補完する方法には、バイキュービック法、バイリニア法、ニアレルトネイバー法が含まれるが、これらの方法に限定されるものではない。「表示画像データ」は、ＲＡＭ１３に保存される。ＲＡＭ１３に保存された「表示画像データ」は、画像処理回路２８に出力されて、スクリーン７５に表示される。Ｓ１７の処理が終了すると、Ｓ１８「画像処理装置終了」の判断に進む。
【００８０】
Ｓ１８「画像処理装置終了」の判断において、ユーザが制御パネル３６やリモートコントローラの「画像表示装置終了ボタン」を押下すると、第１の実施形態のフローが終了する。一方で、ユーザが制御パネル３６やリモートコントローラの「画像表示装置終了ボタン」を押下しない場合には、Ｓ１６の処理に戻る。
【００８１】
（第２の実施形態）
図６に第２の実施形態の説明図を示し、図７に第２の実施形態のフロー図を示して、以下、第２の実施形態について説明をする。例えばコンピュータ装置５０ａの、ＶＲＡＭの容量が少ない場合には、「画面解像度調停信号」に基づいて仮想画面５５の画面解像度を変更することができず、全てのコンピュータ装置５０ａ、５０ｂの仮想画面５５ａ、５５ｂの画面解像度を調停できない状況が生じる。この場合には、図６に示されるように、コンピュータ装置５０ａの仮想画面５５ａに対応する操作可能領域５６ａは、共有画面８０の全ての領域を含まず、操作することができない領域が生じてしまう。コンピュータ装置５０ａのユーザ１は、操作可能領域５６ａの範囲外にある、共有画面８０上のウインドウＷ１を操作することができない。第２の実施形態は、共有画面８０上に操作することができない領域が発生した場合に、ユーザの操作により、共有画面８０上の操作可能領域５６を移動させて、共有画面８０上の「ウインドウ」を操作可能にする実施形態である。
【００８２】
画像表示装置１に、通信手段６０を介してコンピュータ装置５０ａ、５０ｂが接続されると、コンピュータ装置５０ａ、５０ｂは、仮想画面５５ａ、５５ｂの画面解像度の情報の信号である「画面解像度信号」を画像表示装置１に送信して、第２の実施形態が開始し、画像表示装置１は、Ｓ２０「画面解像度信号を受信」の処理に進む。
【００８３】
Ｓ２０「画面解像度信号を受信」の処理において、受信手段１０ａは、コンピュータ装置５０ａ、５０ｂが送信した「画面解像度信号」を受信する。「画面解像度信号」は、ＲＡＭ１３に保存される。Ｓ２０の処理が終了すると、Ｓ２１「画面解像度調停方法の選択」の選択に進む。
【００８４】
Ｓ２１「画面解像度調停方法の選択」の選択において、コンピュータ装置５０ａ、５０ｂのいずれかのユーザが、ポインティングディバイス１１２やキーボード１１１を操作して、仮想画面５５の画面解像度の調停方法Ｓ２２〜Ｓ２４のいずれかを選択を選択すると、Ｓ２２〜Ｓ２４の処理に進む。この際、コンピュータ装置５０から画像表示装置１に通信手段６０を介して、前記ユーザの操作情報が送信される。なお、前記ユーザが画像表示装置１の制御パネル３６やリモートコントローラを操作することにより、前記画面解像度の調停方法Ｓ２２〜Ｓ２４を選択するように構成しても差し支えない。
【００８５】
Ｓ２２「最も多くウインドウ画像データを送信しているコンピュータ装置の仮想画面の画面解像度に合わせて調停」の処理において、画面解像度調停手段１４ｃは、Ｓ２０の処理でＲＡＭ１３に保存された「画面解像度信号」を読み出して、最も多くの「ウインドウ画像データ」を受信手段１０ａに送信しているコンピュータ装置５０ａ、５０ｂの仮想画面５５ａ、５５ｂの画面解像度に合わせて、仮想画面５５ａ、５５ｂの画面解像度を調停する。つまり、最も多くの「ウインドウ」を共有画面８０に表示しているコンピュータ装置５０ａ、５０ｂの仮想画面５５ａ、５５ｂの画面解像度に合わせて画面解像度を調停する。Ｓ２２の処理が終了すると、Ｓ２５「全コンピュータ装置に画面解像度調停信号を送信」の処理に進む。
【００８６】
Ｓ２３「全コンピュータ装置の仮想画面の最小画面解像度に合わせて調停」の処理において、画面解像度調停手段１４ｃは、Ｓ２０の処理でＲＡＭ１３に保存された「画面解像度信号」を読み出して、全てのコンピュータ装置５０ａ、５０ｂの仮想画面５５ａ、５５ｂの最小画面解像度に合わせて、仮想画面５５ａ、５５ｂの画面解像度を調停する。Ｓ２３の処理が終了すると、Ｓ２５の処理に進む。
【００８７】
Ｓ２４「全コンピュータ装置の仮想画面の最大画面解像度に合わせて調停」の処理において、画面解像度調停手段１４ｃは、Ｓ２０の処理でＲＡＭ１３に保存された「画面解像度信号」を読み出して、全てのコンピュータ装置５０ａ、５０ｂの仮想画面５５ａ、５５ｂの最大画面解像度に合わせて、仮想画面５５ａ、５５ｂの画面解像度を調停する。Ｓ２４の処理が終了すると、Ｓ２５の処理に進む。
【００８８】
Ｓ２５「全コンピュータ装置に画面解像度調停信号を送信」の処理において、画面解像度調停手段１４ｃは、Ｓ２２〜Ｓ２４の処理で調停した仮想画面５５ａ、５５ｂの画面解像度に基づき「画面解像度調停信号」を生成して、全コンピュータ装置５０ａ、５０ｂに送信する。コンピュータ装置５０ａ、５０ｂのＶＲＡＭの容量が、Ｓ２２〜Ｓ２４の処理で調停を行った画面解像度に変更することが可能な容量である場合には、「画面解像度調停信号」を受信したコンピュータ装置５０ａ、５０ｂは、受信した「画面解像度調停信号」に基づいて、仮想画面５５ａ、５５ｂの画面解像度を変更する。一方で、いずれかのコンピュータ装置５０ａ、５５ｂのＶＲＡＭの容量が不足していて、Ｓ２２若しくはＳ２４の処理で調停を行った画面解像度に変更することが不可能である場合には、「画面解像度調停信号」を受信したコンピュータ装置５０ａ、５０ｂは、仮想画面５５ａ、５５ｂの画面解像度を、変更可能な最大の画面解像度に変更する。Ｓ２５の処理が終了すると、Ｓ２６「コンピュータ装置からデータを受信」の処理に進む。
【００８９】
Ｓ２６「コンピュータ装置からデータを受信」の処理において、画像表示装置１の受信手段１０ａは、コンピュータ装置５０ａ、５０ｂが送信した「ウインドウ画像データ」及び「ウインドウ座標データ」を受信する。これら「ウインドウ画像データ」及び「ウインドウ座標データ」はＲＡＭ１３に保存される。Ｓ２６の処理が終了すると、Ｓ２７「全ウインドウを共有画面に表示」の処理に進む。
【００９０】
Ｓ２７「全ウインドウを共有画面に表示」の処理において、画像配置手段１４ｂは、ＲＡＭ１３に保存されている「ウインドウ画像データ」や「ウインドウ座標データ」から「ウインドウ」を生成し、１つの領域に重ねて配置し、共有画面８０に表示する「表示画像データ」を生成する。「表示画像データ」は、ＲＡＭ１３に保存される。ＲＡＭ１３に保存された「表示画像データ」は、画像処理回路２８に出力されて、スクリーン７５に表示される。Ｓ２７の処理が終了すると、Ｓ２８「操作可能領域移動信号を受信」の判断に進む。
【００９１】
Ｓ２８「操作可能領域移動信号を受信」の判断において、受信手段１０ａが、コンピュータ装置５０ａ、５０ｂから「操作可能領域移動信号」を受信したと判断した場合には、受信した「操作可能領域移動信号」をＲＡＭ１３に保存して、Ｓ２９「操作可能領域を移動」の処理に進む。一方で、受信手段１０ａが、コンピュータ装置５０ａ、５０ｂから「操作可能領域移動信号」を受信しない場合には、Ｓ３０「画像表示装置終了」の判断に進む。なお、「操作可能領域移動信号」は、共有画面８０上に操作することができない領域が発生したユーザ１が、コンピュータ装置５０ａのポインティングディバイス１１２やキーボード１１１を操作することにより生成され、通信手段６０を介して、画像表示装置１の受信手段１０ａに送信される。
【００９２】
Ｓ２９「操作可能領域を移動」の処理において、操作可能領域移動手段１４ｄは、Ｓ２８の判断でＲＡＭ１３に保存された「操作可能領域移動信号」を読み出して、共有画面８０上の操作可能領域５６ａを移動させる処理を行う。例えば、図６に示されるように、コンピュータ装置５０ａのユーザ１が、ポインティングディバイス１１２を操作することにより、操作可能領域５６ａ上のカーソルＰ１を、操作可能領域５６ａの境界に移動させると、操作可能領域５６ａがカーソルＰ１に追従して移動し、ウインドウＷ１を操作することが可能となる。また、キーボード１１１の矢印ボタンで、共有画面８０上の操作可能領域５６ａを移動させることとしても差し支えない。Ｓ２９の処理が終了すると、Ｓ３０の判断に進む。
【００９３】
Ｓ３０「画像処理装置終了」の判断において、ユーザが制御パネル３６やリモートコントローラの「画像表示装置終了ボタン」を押下すると、第２の実施形態のフローが終了する。一方で、ユーザが制御パネル３６やリモートコントローラの「画像表示装置終了ボタン」を押下しない場合には、Ｓ２６の処理に戻る。
【００９４】
なお、第１の実施形態や第２の実施形態では、Ｓ１１やＳ２１の選択において、ユーザが、仮想画面５５ａ、５５ｂの画面解像度の調停方法を選択しているが、本発明はこの実施形態に限定されず、予め仮想画面５５ａ、５５ｂの画面解像度の調停方法が設定されている実施形態であっても差し支えない。
【００９５】
また、画像表示装置１の一例として、プロジェクタを用いた例について本発明を説明したが、本発明の画像表示装置は、プロジェクタに限定されず、その他ブラウン管（陰極線管、ＣＲＴ、液晶ディスプレー、有機ＥＬディスプレー、プラズマディスプレー、リアプロジェクションディスプレー等の画像表示装置にも本発明を適用可能なことは言うまでもない。
【００９６】
以上、現時点において、もっとも、実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴う画像表示装置及び画像表示システムもまた技術的範囲に包含されるものとして理解されなければならない。
【図面の簡単な説明】
【００９７】
【図１】システムの概要を示す説明図である。
【図２】画像表示装置のブロック図である。
【図３】ネットワークを示す説明図である。
【図４】コンピュータ装置のブロック図である。
【図５】第１の実施形態のフロー図である。
【図６】第２の実施形態の説明図である。
【図７】第２の実施形態のフロー図である。
【図８】従来の画像表示システムの説明図である。
【図９】従来の画像表示システムの問題点を示した説明図である。
【符号の説明】
【００９８】
１        画像表示装置
１０      ネットワーク接続部
１０ａ    受信手段
１０ｂ    送信手段
１２      ＣＰＵ
１３      ＲＡＭ
１４      ＲＯＭ
１４ａ    アプリケーション保存部
１４ｂ    画像配置手段
１４ｃ    画面解像度調停手段
１４ｄ    操作可能領域移動手段
１５      保存部
２１      ランプ駆動回路
２２      光源
２３      照明光学系
２４      ＬＣＤ
２５      結像光学系
２６      ピント調節機構
２８      画像処理回路
３０      ＬＣＤ駆動回路
３６      制御パネル
３８      赤外線受光部
３７      赤外線制御部
４１      画像信号接続部
４２      画像信号切替回路
４３      画像信号入力回路
４５      バス
５０ａ    コンピュータ装置（ＰＣ１）
５０ｂ    コンピュータ装置（ＰＣ２）
５１ａ    画像表示装置（コンピュータ装置５０ａ）
５１ｂ    画像表示装置（コンピュータ装置５０ｂ）
５２ａ    キーボード（コンピュータ装置５０ａ）
５２ｂ    キーボード（コンピュータ装置５０ｂ）
５４ａ    表示画面（コンピュータ装置５０ａ）
５４ｂ    表示画面（コンピュータ装置５０ｂ）
５５ａ    仮想画面（コンピュータ装置５０ａ）
５５ｂ    仮想画面（コンピュータ装置５０ｂ）
５６ａ    操作可能領域（コンピュータ装置５０ａ）
６０      通信手段
６１      ハブ
６２      通信線
６３      通信線
６５      イントラネット
６６      インターネット
６７      ハブ
６８      スイッチ
６９      ルータ
７０      サーバー
７１      ファイヤーウォール
７２      無線ＬＡＮのアクセスポイント
７５      スクリーン
８０      共有画面
１００    画像表示システム
１０１    ＣＰＵ
１０２    メモリ
１０３    バスコントローラ
１０４    ビデオサブシステム
１０５    画像表示装置
１０６    ＵＳＢバスコントローラ
１０７    ＵＳＢコネクタ
１０８    ハードディスク
１０８ａ  オペレーティングシステム
１０８ｂ  アプリケーションソフト
１０８ｃ  各種データ
１０９    フロッピー（登録商標）ディスクドライブ
１１０    ＣＤＲＯＭドライブ
１１１    キーボード
１１２    ポインティングディバイス
１１３    ネットワーク接続部
１２１    高速バス
１２２    低速バス
２００    従来のプロジェクタ
３００    従来の画像表示システム
Ｐ１      カーソル（コンピュータ装置５０ａ）
Ｐ２      カーソル（コンピュータ装置５０ｂ）
【図１】
0005082722.tif 000003
【図２】
0005082722.tif 000004
【図３】
0005082722.tif 000005
【図４】
0005082722.tif 000006
【図５】
0005082722.tif 000007
【図６】
0005082722.tif 000008
【図７】
0005082722.tif 000009
【図８】
0005082722.tif 000010
【図９】
0005082722.tif 000011